(57)【特許請求の範囲】
【請求項１】
カメラの第１の状態と、前記第１の状態とは異なる前記カメラの第２の状態とを検出する検出部と、
動画情報に含まれる第１フレームにおいて前記検出部により前記第１の状態が検出されたとき、前記第１フレームを用いて生成された第１静止画及び前記第１フレームより前のフレーム及び前記第１フレームより後のフレームを用いて生成された第１動画を記憶媒体に記憶させ、前記動画情報に含まれる第２フレームにおいて前記検出部により前記第２の状態が検出されたとき、前記第２フレームより後のフレームを用いて生成された第２静止画及び前記第２フレーム以降のフレームを用いて生成された第２動画を前記記憶媒体に記憶させる制御部とを含むカメラ。
【請求項２】
請求項１に記載されたカメラであって、
前記検出部は、レリーズボタンが操作されたとき前記第１の状態であると検出し、自動焦点調節が完了したとき前記第２の状態であると検出するカメラ。
【請求項３】
請求項１又は請求項２に記載のカメラにおいて、
前記検出部は、複数のフレームから、所定の撮影状態の変化を検出し、
前記制御部は、前記検出部により検出された前記所定の撮影状態の変化に対応するフレームを前記第１フレームとするカメラ。
【請求項４】
請求項３に記載のカメラにおいて、
前記撮影状態は、結像光学系の合焦状態、前記結像光学系の焦点距離、前記カメラの姿勢、および前記カメラの周囲の音量、のいずれか少なくとも１つであるカメラ。
【請求項５】
請求項３または４に記載のカメラにおいて、
前記第１動画の記憶部は、前記所定の撮影状態の変化を検知するための付加情報を含む前記第１動画を記憶し、
前記第２動画の記憶部は、記憶媒体に記憶されている前記第１動画に基づいて、前記第２動画を記憶媒体に記憶するカメラ。
【請求項６】
請求項３または４に記載のカメラにおいて、
前記検出部は、前記複数のフレームの撮像と並行して前記所定の撮影状態を検出するカメラ。
【請求項７】
請求項１に記載のカメラにおいて、
前記制御部は、前記カメラの外部に設けられた操作部材の操作により前記第１フレームを選択するカメラ。
【請求項８】
請求項１〜７のいずれか一項に記載のカメラにおいて、
前記第１フレームは複数選択可能であり、
複数の前記第１フレームの各々について、前記第１フレームより前のフレームおよび前記第１フレームより後のフレームを選択し、
前記制御部は、複数の前記第１フレームの各々に対応する前記第１動画を記憶する際、各々の前記第１動画に同一のフレームが含まれることになる場合には、複数の前記第１フレーム、複数の前記前のフレーム、および複数の前記後のフレームのうち時系列順で最先のフレームと最後のフレームとの間の各フレームから構成される前記第１動画を１つだけ記憶するカメラ。
【発明の詳細な説明】
【技術分野】
【０００１】
本発明は、カメラに関する。
【背景技術】
【０００２】
動画を撮影可能なデジタルカメラにおいて、ユーザ操作により動画から静止画を抜き出す機能が知られている。例えば特許文献１に記載された動画撮影可能なカメラには、動画の撮影中に手動操作により静止画を撮影するモードが設けられている。
【先行技術文献】
【特許文献】
【０００３】
【特許文献１】特開２００７−２５９３９０号公報
【発明の概要】
【発明が解決しようとする課題】
【０００４】
従来のカメラでは、動画から静止画を抜き出す機能と動画の一部分を抜き出す機能とを同時に利用することができないという問題があった。
【課題を解決するための手段】
【０００５】
請求項１に係る発明は、カメラの第１の状態と、前記第１の状態とは異なる前記カメラの第２の状態とを検出する検出部と、動画情報に含まれる第１フレームにおいて前記検出部により前記第１の状態が検出されたとき、前記第１フレームを用いて生成された第１静止画及び前記第１フレームより前のフレーム及び前記第１フレームより後のフレームを用いて生成された第１動画を記憶媒体に記憶させ、前記動画情報に含まれる第２フレームにおいて前記検出部により前記第２の状態が検出されたとき、前記第２フレームより後のフレームを用いて生成された第２静止画及び前記第２フレーム以降のフレームを用いて生成された第２動画を前記記憶媒体に記憶させる制御部とを含むカメラである。
【発明の効果】
【０００６】
本発明によれば、動画から静止画を抜き出す機能と動画の一部分を抜き出す機能とを同時に利用することができる。
【図面の簡単な説明】
【０００７】
【図１】本発明の第１の実施の形態に係るカメラの構成を示すブロック図である。
【図２】動画編集モードにおける表示画面の模式図である。
【図３】動画編集モードにおいて記憶される静止画像ファイルと動画ファイルを説明する図である。
【図４】動画編集モードにおいて制御回路１１０により実行される処理のフローチャートである。
【図５】第１注目フレームが２つ以上存在する例を示す図である。
【図６】本発明の第３の実施の形態に係るカメラの構成を示すブロック図である。
【図７】第３の実施の形態における第１注目フレームと第２注目フレームと第３注目フレームとの位置関係を示す図である。
【発明を実施するための形態】
【０００８】
（第１の実施の形態）
図１は、本発明の第１の実施の形態に係るカメラの構成を示すブロック図である。カメラ１００はレンズ一体型のデジタルカメラであり、被写体像を撮像素子１３０の撮像面上に結像させる撮影レンズ１２０を有している。撮像素子１３０は画素に対応する複数の光電変換素子を備えたＣＣＤやＣＭＯＳ等のイメージセンサによって構成される。
【０００９】
撮像素子１３０は、撮像面上に結像されている被写体像を撮像し、被写体像の明るさに応じた光電変換信号（画像信号）を制御回路１１０に出力する。撮像素子１３０の撮像面には、それぞれＲ（赤）、Ｇ（緑）およびＢ（青）のカラーフィルタが画素位置に対応するように設けられている。
【００１０】
制御回路１１０はマイクロプロセッサおよびその周辺回路等により構成されており、不揮発性の記憶媒体であるフラッシュメモリ１５０に格納されている所定の制御プログラムを実行することにより各部の制御を行う。制御回路１１０は、撮像素子１３０の出力に基づいて画像データを生成し、ＤＲＡＭ１４０に一時的に格納する。生成された画像データは、メモリカードＩ／Ｆ１７０に装着された可搬性の記憶媒体１７１に記憶されるか、あるいはＬＣＤ駆動回路１６０により駆動される表示装置である液晶モニタ１６１に表示される。
【００１１】
制御回路１１０には、レリーズボタン（不図示）などカメラ１００の外部に設けられた種々の操作部材を含む入力装置１８０が接続されている。ユーザが各操作部材を操作すると、入力装置１８０はこの操作に応じた操作信号を制御回路１１０に出力する。
【００１２】
制御回路１１０はソフトウェア形態により第１静止画記憶部１１１、第１動画記憶部１１２、第１選択部１１３、第２選択部１１４、第２静止画記憶部１１５、および第２動画記憶部１１６を備える。これらの各部は、制御回路１１０がフラッシュメモリ１５０に格納されている所定の制御プログラムを実行することにより、ソフトウェア的に実現される。これらの各部の動作については後に詳述する。
【００１３】
本実施形態のカメラ１００は静止画撮影モード、動画撮影モード、動画編集モードなど、いくつかの動作モードを有している。ユーザは入力装置１８０に含まれる操作部材（例えばモードダイアル）を操作することにより、これらの動作モードを切り替えることができる。
【００１４】
（静止画撮影モードの説明）
静止画撮影モードは静止画像を撮影する動作モードである。ユーザがレリーズボタンを押下すると、入力装置１８０から制御回路１１０へ操作信号が出力される。第１静止画記憶部１１１は、この操作信号に応じて撮像素子１３０に撮像を行わせる。そして第１静止画記憶部１１１は、撮像素子１３０が出力する画像信号に対して種々の画像処理を行い、画像データを作成する。第１静止画記憶部１１１は、この画像データに対してＪＰＥＧなどの所定の方式により圧縮処理を行い、ＥＸＩＦなどの形式の静止画像ファイルとして記憶媒体１７１に記憶する。
【００１５】
静止画撮影モードのとき、制御回路１１０は液晶モニタ１６１にいわゆるスルー画を表示し続ける。すなわち、所定間隔（例えば３０分の１秒）毎に繰り返し撮像素子１３０に撮像を行わせ、画像信号に対してスルー画用の種々の画像処理を行う。そして、画像処理の結果作成された画像データを液晶モニタ１６１に表示する。
【００１６】
（動画撮影モードの説明）
動画撮影モードは動画を撮影する動作モードである。第１動画記憶部１１２はユーザによる動画撮影開始操作（例えばレリーズボタンの押下）の操作信号に応じて、撮像素子１３０に所定間隔（例えば３０分の１秒）毎に繰り返し撮像を行わせる。そして第１動画記憶部１１２は、撮像素子１３０が出力する画像信号に対して種々の画像処理を行い、画像データを作成する。第１動画記憶部１１２はユーザによる動画撮影終了操作が行われるまで以上の動作を行う。ユーザが動画撮影終了操作を行うと、第１動画記憶部１１２は、このようにして連続的に作成された複数の画像データに対してＭＰＥＧなどの所定の方式により圧縮処理を行い、動画ファイルとして記憶媒体１７１に記憶する。なお、以下の説明において、動画ファイルを構成する個々の静止画像をフレームと称する。すなわち、動画ファイルは時系列順に並べられた複数のフレームから構成される。
【００１７】
（動画編集モードの説明）
動画編集モードは記憶媒体１７１に記憶済みの動画ファイルから新たに１つの静止画像ファイルと１つの動画ファイルとを作成する動作モードである。動画編集モードに入ると、液晶モニタ１６１には図２（ａ）に示す動画選択画面Ｓ１が表示される。動画選択画面Ｓ１には、記憶媒体１７１に記憶されている動画ファイルのサムネイル画像１０が液晶モニタ１６１に一覧表示される。ユーザは入力装置１８０を用いて複数のサムネイル画像１０から編集対象の動画ファイルを１つ選択する。
【００１８】
ユーザが動画ファイルを選択すると、液晶モニタ１６１には図２（ｂ）に示す編集画面Ｓ２が表示される。編集画面Ｓ２の下部には選択された動画ファイルの各フレームに対応するスライダー１２が表示される。スライダー１２は左端が動画ファイルの開始フレーム、右端が終了フレームにそれぞれ対応しており、ノブ１３で示されるフレームがフレーム表示領域１１に表示される。ユーザはノブ１３を左右に移動させ、目的のフレームがフレーム表示領域１１に表示された状態でフレーム指定操作（例えばレリーズボタンの押下）を行う。制御回路１１０はユーザがフレーム指定操作により指定したフレームに基づいて、新たに１つの静止画像ファイルと１つの動画ファイルとを記憶媒体１７１に記憶する。
【００１９】
図３は動画編集モードにおいて記憶される静止画像ファイルと動画ファイルを説明する図である。図３に示した直線２０は編集対象の動画ファイル全体を表し、左端が動画ファイルの先頭フレームｆ０、右端が動画ファイルの終端フレームｆｎを表している。第１選択部１１３はユーザによる注目フレーム決定操作に応じて、動画ファイルを構成する複数のフレームのうち、編集画面Ｓ２に現在表示されているフレーム（すなわちノブ１３により指し示されているフレーム）を第１注目フレームｆ１として選択する。
【００２０】
次に第２選択部１１４が、第１注目フレームｆ１から所定数Ｎ１だけ前のフレームｆ２を第２注目フレームとして選択すると共に、第１フレームｆ１から所定枚数Ｎ２だけ後ろのフレームｆ３を第３注目フレームとして選択する。すなわち、第１注目フレームｆ１の位置に基づいて第２注目フレームｆ２および第３注目フレームｆ３を選択する。この所定数Ｎ１およびＮ２は予め制御プログラムに埋め込まれた固定値であってもよいし、ユーザにより予め設定された値であってもよい。また、各フレームの画像解析の結果や撮影モード、その他種々の撮影状況に応じて変化する値であってもよい。
【００２１】
その後、第２静止画記憶部１１５が、第１注目フレームｆ１と第２注目フレームｆ２と第３注目フレームｆ３のうち、時系列順で最も前に位置するフレームと最も後に位置するフレームとの間に位置するフレームを静止画像ファイルとして記憶媒体１７１に記憶する。図３に示すように、本実施形態では時系列順で最も前に位置するフレームは第２注目フレームｆ２であり、時系列順で最も後に位置するフレームは第３注目フレームｆ３である。つまり、第２静止画記憶部１１５は、第１注目フレームｆ１を静止画像ファイルとして記憶媒体１７１に記憶する。
【００２２】
第２静止画記憶部１１５による静止画像ファイルの記憶と並行して（もしくは相前後して）、更に第２動画記憶部１１６が、編集対象の動画ファイルを構成する複数のフレーム（先頭フレームｆ０から終端フレームｆｎまでの各フレーム）のうち、第２注目フレームｆ２と第３注目フレームｆ３との間の各フレームから成る動画ファイルを記憶媒体１７１に記憶する。
【００２３】
つまり動画編集モードでは、ユーザが第１注目フレームを指定するフレーム指定操作を行うと、当該第１注目フレームが静止画像ファイルとして記憶媒体１７１に記憶されると共に、当該第１注目フレームを含む範囲が動画ファイルとして切り出され、記憶媒体１７１に記憶される。
【００２４】
図４は動画編集モードにおいて制御回路１１０により実行される処理のフローチャートである。まずステップＳ４００において、制御回路１１０がユーザの操作に応じて編集対象の動画ファイルを選択する。ステップＳ４１０では、入力装置１８０から静止画像ファイルとして記憶されるフレーム（すなわち第１注目フレーム）を指定する操作が入力される。ステップＳ４２０では、第１選択部１１３がユーザの操作に基づいて第１注目フレームを選択する。ステップＳ４３０では、第２選択部１１４が第２注目フレームおよび第３注目フレームを選択する。ステップＳ４４０では、第２静止画記憶部１１５が第１注目フレームを静止画像ファイルとして記憶媒体１７１に記憶する。ステップＳ４５０では、第２動画記憶部１１６が第２注目フレームと第３注目フレームとの間の各フレームにより構成される動画ファイルを記憶媒体１７１に記憶する。
【００２５】
上述した第１の実施の形態によるカメラによれば、次の作用効果が得られる。
（１）第１選択部１１３は、撮像素子１３０により撮像され時系列順に並べられた複数のフレームからいずれか１つのフレームを第１注目フレームとして選択する。第２選択部１１４は、第１注目フレームの位置に基づいて第２注目フレームおよび第３注目フレームを選択する。第２静止画記憶部１１５は、第１注目フレームと第２注目フレームと第３注目フレームとの３つのフレームのうち、時系列順で最も前に位置するフレームと、最も後に位置するフレームと、の間に位置するフレームを静止画像ファイルとして記憶媒体１７１に記憶する。第２動画記憶部１１６は、時系列順で最も前に位置する注目フレームと最も後に位置する注目フレームとの間の各フレームから成る動画ファイルを記憶媒体１７１に記憶する。このようにしたので、動画から静止画を抜き出す機能と動画の一部分を抜き出す機能とを同時に利用することができる。
【００２６】
（２）第１選択部１１３は、カメラ１００の外部に設けられた操作部材の操作により第１注目フレームを選択する。第２選択部１１４は、第１選択部１１３により選択された第１注目フレームの位置に基づいて第２注目フレームおよび第３注目フレームを選択する。このようにしたので、ユーザによる１回の操作で、静止画像ファイルの記憶と動画ファイルの記憶とを同時に利用することができ、煩雑な操作が不要となる。
【００２７】
（第２の実施の形態）
第２の実施の形態に係るカメラは第１の実施の形態に係るカメラ１００と同様の構成を有するが、第１選択部１１３が編集対象の動画ファイルにおいて第１注目フレームを複数選択可能である点が第１の実施の形態と異なる。
【００２８】
図５は第１注目フレームが２つ以上存在する例を示す図である。第１注目フレームが複数選択された場合、複数の第１注目フレームの各々について、第２選択部１１４による第２注目フレームおよび第３注目フレームの選択と、第２静止画記憶部１１５による静止画像ファイルの記憶と、第２動画記憶部１１６による動画ファイルの記憶と、が行われる。ただし、図５に示すように、第２動画記憶部１１６により記憶される各々の動画ファイルに同一のフレームが含まれることになる場合には、第２動画記憶部１１６は、複数の第１注目フレーム、複数の第２注目フレームおよび複数の第３注目フレームのうち時系列順で最先のフレームと最後のフレームとの間の各フレームから構成される動画ファイルを１つだけ記憶する。
【００２９】
例えば図５において、第１注目フレームｆ１ａ、ｆ１ｂが選択されたものとする。このとき、通常であれば、第１注目フレームｆ１ａに対応する第２注目フレームｆ２ａと第３注目フレームｆ３ａとの間の各フレームｆ４から構成される動画ファイル、および、第１注目フレームｆ１ｂに対応する第２注目フレームｆ２ｂと第３注目フレームｆ３ｂとの間の各フレームｆ５から構成される動画ファイルが記憶される。
【００３０】
しかし図５において、第３注目フレームｆ３ａが第２注目フレームｆ２ｂより後に存在するため、２つの動画ファイルには同一のフレームｆ６が含まれることとなる。従って第２動画記憶部１１６は、第２注目フレームｆ２ａと第３注目フレームｆ３ｂとの間の各フレームから構成される１つの動画ファイルだけを記憶媒体１７１に記憶する。
【００３１】
上述した第２の実施の形態によるカメラによれば、第１の実施の形態により得られる作用効果に加えて、次の作用効果が得られる。
（１）第１選択部１１３は、第１注目フレームを複数選択可能であり、第２選択部１１４は、複数の第１注目フレームの各々について、当該第１注目フレームに対応する第２注目フレームおよび第３注目フレームを選択する。第２動画記憶部１１６は、複数の第１注目フレームの各々に対応する動画ファイルを記憶する際、各々の動画ファイルに同一のフレームが含まれることになる場合には、複数の第１注目フレーム、複数の第２注目フレーム、および複数の第３注目フレームのうち時系列順で最先のフレームと最後のフレームとの間の各フレームから構成される動画ファイルを１つだけ記憶する。このようにしたので、多数の静止画像を同時に切り出すことが可能になると共に、各静止画像に対応するシーンが細切れにされることを防止することができる。
【００３２】
（第３の実施の形態）
図６は、本発明の第３の実施の形態に係るカメラの構成を示すブロック図である。なお、図１に示す第１の実施の形態に係るカメラと同様の箇所については同一の符号を付し説明を省略する。第３の実施の形態に係るカメラ２００は、第１の実施の形態に係るカメラ１００の各部に加えて、焦点調節部２９０、マイク２９１、姿勢センサ２９２、および検知部２１７を有する。
【００３３】
焦点調節部２９０は、撮影レンズ１２０の焦点状態を検知すると共に、焦点状態の検知結果に応じて撮影レンズ１２０に含まれるフォーカシングレンズを駆動することにより、撮影レンズ１２０の焦点調節を行う。焦点状態の検知は例えばコントラスト方式や位相差検出方式など周知の方式により行われる。マイク２９１はカメラ２００の周辺の音を電気信号に変換して制御回路１１０に出力する。姿勢センサ２９２はカメラ２００の移動量を検出して移動信号を出力するセンサである。
【００３４】
制御回路１１０が有する検知部２１７は、撮像素子１３０による複数のフレームの撮像と並行して当該複数のフレームから所定の撮影状況の変化を検知する。なお、本実施形態において所定の撮影状況とは、撮影レンズ１２０の合焦状態と、カメラ２００の姿勢と、カメラ２００の周囲の音量と、のいずれか１つである。第１選択部１１３は上述した各撮影状況のうちいずれか１つが変化すると、当該変化に対応するフレームを第１注目フレームとして選択する。すなわち、撮影レンズ１２０の合焦状態と、カメラ２００の姿勢と、カメラ２００の周囲の音量と、のいずれか１つが変化すると、検知部２１７は当該変化を検知し、第１選択部１１３により第１注目フレームが選択される。
【００３５】
図７は、本実施の形態における第１注目フレームと第２注目フレームと第３注目フレームとの位置関係を示す図である。第１の実施の形態において、第１注目フレームは時系列順で常に第２注目フレームと第３注目フレームとの間に位置していた。本実施形態では、検知部２１７により検知された撮影状況の変化の種類によって、第１注目フレームと第２注目フレームと第３注目フレームとの時系列順での位置関係が変化する。以下、検知部２１７が検知可能な撮影状況毎に、どのようにして第１注目フレーム、第２注目フレーム、および第３注目フレームが選択されるのかを説明する。
【００３６】
ユーザが例えばレリーズボタンを半押しする等の所定操作を行うと、焦点調節部２９０による自動焦点調節が行われる。自動焦点調節が行われている最中に撮像された各フレームは目的の被写体にピントが合っておらず、ユーザはこのようなフレームを望まないと考えられる。そこで本実施形態の検知部２１７は、図７（ａ）に示すように、自動焦点調節の完了、すなわち被写体にピントが合ったことを撮影状況の変化として検知する。この検知に応じて第１選択部１１３は、直近の撮像フレームを第１注目フレームｆ７として選択する。そして、このフレームから所定数Ｎ３だけ後のフレームが第２注目フレームｆ８として、更に所定数Ｎ４だけ後のフレームが第３注目フレームｆ９として、それぞれ第２選択部１１４により選択される。その後、第２静止画記憶部１１５はこれら３つのフレームのうち時系列順で最も前に位置する第１注目フレームｆ７と、最も後に位置する第３注目フレームｆ９と、の間に位置する第２注目フレームｆ８を静止画像ファイルとして記憶媒体１７１に記憶する。また、第２動画記憶部１１６が、第１注目フレームｆ７と第３注目フレームｆ９との間の各フレームから成る動画ファイルを記憶媒体１７１に記憶する。
【００３７】
ユーザが動画ファイルの撮影中にカメラ２００を振る（すなわちパンする）ことにより姿勢センサ２９２の出力が所定のしきい値を超えると、検知部２１７は図７（ｂ）に示すように、当該パン操作を撮影状況の変化として検知する。この検知に応じて第１選択部１１３は、直近の撮像フレームを第１注目フレームｆ１０としての選択が行われる。これは、動画ファイルの撮影中にパンが行われたということは、ユーザが移動する被写体を追っていると考えられるためである。この場合、図７（ａ）に基づいて説明した合焦状態の変化と同様に静止画像ファイルおよび動画ファイルの記憶が行われる。なお図７（ｃ）に示すように、第２選択部１１４が第２注目フレームおよび第３注目フレームとして第１注目フレームより前のフレームを選択するようにしてもよい。すなわち、第２動画記憶部１１６がカメラの振り終わりを終端とする動画ファイルを記憶するよにしてもよい。
【００３８】
動画撮影中にマイク２９１に入力されている音の音量が所定のしきい値以上になり、その後所定のしきい値未満に低下した場合、検知部２１７は図７（ｄ）に示すように、当該音量変化を撮影状況の変化として検知する。この検知に応じて第１選択部１１３は、直近の撮像フレームを第１注目フレームｆ１３として選択する。これは、例えば演劇等の舞台を撮影しているとき、幕が上がることで客席が静かになるように、音量の低下がユーザの注目すべきシーンの開始を表しているためである。この場合、上述した合焦状態の変化と同様に静止画像ファイルおよび動画ファイルの記憶が行われる。
【００３９】
なお上述とは逆に、動画撮影中にマイク２９１に入力されている音の音量が所定のしきい値未満になり、その後所定のしきい値以上に音量が上がった場合に、検知部２１７が図７（ｅ）に示すように当該音量変化を撮影状況の変化として検知するようにしてもよい。これは、例えばスポーツ観戦中に歓声が上がった場合のように、音量の急激な増加がユーザの注目すべきシーンの発生を表している可能性があるためである。この場合、図７（ｅ）に示すように、第２注目フレームｆ１４は第１注目フレームｆ１３より時系列順で前に位置するよう選択するのが望ましい。
【００４０】
以上、各撮影状況について説明してきたが、第２注目フレームおよび第３注目フレームの位置を決めるための所定数Ｎ３〜Ｎ８は、撮影状況の種類毎にすべて異なっていてもよいし、あるいは全て同一であってもよい。
【００４１】
上述した第３の実施の形態によるカメラによれば、第１の実施の形態によるカメラで得られる作用効果に加えて、次の作用効果が得られる。
（１）第１選択部１１３は、検知部２１７により複数のフレームから検知された所定の撮影状況の変化に対応するフレームを第１注目フレームとして選択する。このようにしたので、ユーザによる特別な操作が不要となり操作が簡略化される。
【００４２】
（２）検知部２１７は、撮像素子１３０による複数のフレームの撮像と並行して所定の撮影状況を検知する。このようにしたので、ユーザは動画撮影の完了と共に、ベストショットおよびベストシーンが抜き出された静止画像ファイルおよび動画ファイルを得ることができる。
【００４３】
次のような変形も本発明の範囲内であり、変形例の一つ、もしくは複数を上述の実施形態と組み合わせることも可能である。
【００４４】
（変形例１）
第１の実施の形態では記憶媒体１７１に記憶済みの動画ファイルから新たな静止画像ファイルおよび動画ファイルを記憶していた。これら２つのファイルを記憶するための操作を、動画ファイルの撮影中（すなわち動画撮影モードでの動作中）に行えるようにしてもよい。例えば、動画ファイルの撮影中にレリーズボタンが押下されると押下の直前に撮像されたフレームが第１注目フレームとして選択されるようにしてもよい。第２静止画記憶部１１５は動画ファイルの撮影中に第１注目フレームを静止画像ファイルとして記憶媒体１７１に記憶してもよいし、動画ファイルの撮影が終了した後に当該静止画像ファイルを記憶するようにしてもよい。
【００４５】
第２動画記憶部１１６も同様に、第２注目フレームから第３注目フレームとの間の各フレームにより構成される動画ファイルを、動画ファイルの撮影が終了した後に記憶するようにしてもよい。あるいは、撮像素子１３０により撮像された各フレームがＤＲＡＭ１４０に一定期間バッファリングされるようにし、第１静止画記憶部１１１による動画ファイルの記憶と並行して新たな動画ファイルを記憶するようにしてもよい。
【００４６】
（変形例２）
第３の実施の形態では動画ファイルの撮影中に撮影状況の変化の検知および注目フレームの選択を行っていた。これらのうちいずれか一方、あるいは両方を動画ファイルの撮影後に行うようにしてもよい。例えば第１動画記憶部１１２が、検知部２１７が所定の撮影状況を検知するための付加情報を含む動画ファイルを記憶するようにしてもよい。付加情報の例としては、マイク２９１により録音された音声、姿勢センサ２９２の出力、焦点調節部２９０により自動焦点調節が行われたタイミングを表す情報などが挙げられる。あるいは、検知部２１７による検知結果を表す情報を撮影された動画ファイルに付加しておき、動画編集モードにおいて上記の検知結果に基づいて自動的に第１注目フレームが選択されるようにしてもよい。
【００４７】
（変形例３）
撮影状況の変化は第３の実施の形態に示した３つ以外のものでもよい。例えば撮影レンズ１２０がズームレンズである場合、検知部２１７が焦点距離の変化を検出するようにしてもよい。
【００４８】
（変形例４）
静止画撮影モードにおいて第２静止画記憶部１１５による静止画像ファイルの記憶および第２動画記憶部１１６による動画ファイルの記憶が行えるようにしてもよい。この場合、第２静止画記憶部１１５および第２動画記憶部１１６はスルー画を対象に静止画像ファイルおよび動画ファイルの記憶を行う。例えば、第１選択部１１３および第２選択部１１４がスルー画を構成する各フレームを選択し、第２静止画記憶部１１５および第２動画記憶部１１６にスルー画を構成する各フレームを記憶させることができる。
【００４９】
（変形例５）
第３の実施の形態において、第２の実施の形態と同様に、第１選択部１１３が第１注目フレームを複数選択可能にすることができる。すなわち、１つの動画ファイルにおいて検知部２１７が所定の撮影状況の変化を検知する都度、第１選択部１１３が第１注目フレームを選択するように構成してもよい。
【００５０】
（変形例６）
上述の各実施の形態では本発明をレンズ一体型のデジタルカメラに適用していたが、本発明はこのようなデジタルカメラに限定されない。例えばレンズ交換式のデジタルカメラや一眼レフカメラに対しても本発明を適用することが可能である。また、カメラのみならず画像編集を行う画像編集装置にも本発明を適用することが可能である。
【００５１】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５２】
１００、２００…カメラ、１１０…制御回路、１１１…第１静止画記憶部、１１２…第１動画記憶部、１１３…第１選択部、１１４…第２選択部、１１５…第２静止画記憶部、１１６…第２動画記憶部、１２０…撮影レンズ、１３０…撮像素子、１７１…記憶媒体、１８０…入力装置、２１７…検知部、２９０…焦点調節部、２９１…マイク、２９２…姿勢センサ
【図１】
0005742282.tif 000002
【図２】
0005742282.tif 000003
【図３】
0005742282.tif 000004
【図４】
0005742282.tif 000005
【図５】
0005742282.tif 000006
【図６】
0005742282.tif 000007
【図７】
0005742282.tif 000008